(57)【特許請求の範囲】
【請求項１】
発光部を有するストロボ本体と、前記ストロボ本体に前後方向に移動可能に設けられ、前面にレンズを有するレンズ保持体とを具備したストロボ装置であって、
前記ストロボ本体に設けられ、電動機によって前後方向に駆動される移動部材を含むズーム用駆動装置と、
前記移動部材及び前記レンズ保持体の少なくとも一方に取り付けられ、磁力によって前記移動部材と前記レンズ保持体とを連結する磁石片とを有するストロボ装置。
【請求項２】
前記ストロボ本体は前記発光部及び前記ズーム用駆動装置を収容する本体側ハウジングを有し、
前記レンズ保持体は前記本体側ハウジングの外周に前後方向に移動可能に係合して前記レンズを支持したレンズ側ハウジングを有し、
前記磁石片は前記移動部材に設けられて前記本体側ハウジング内に位置する移動部材側磁石片を含み、当該移動部材側磁石片は前記本体側ハウジングを隔てて前記レンズ側ハウジングに設けられた磁気吸着部に対向している請求項１に記載のストロボ装置。
【請求項３】
前記移動部材側磁石片は前記移動部材の外周面に設けられ、
前記磁気吸着部は前記移動部材側磁石片に対向する前記レンズ側ハウジングの内側面に設けられたレンズ側磁石片を含む請求項２に記載のストロボ装置。
【請求項４】
前記ストロボ本体は前記本体側ハウジング内を各々前後方向に延在して前記移動部材の前後方向の移動を案内する左右２個のリニア案内部を有し、
前記移動部材側磁石片は前記移動部材が前記各リニア案内部と係合する係合部の左右方向の位置に各々整合する左右二箇所に設けられている請求項２又は請求項３に記載のストロボ装置。
【請求項５】
前記ズーム用駆動装置は、前記電動機の出力部に固定された基端を有する駆動アームと、前記駆動アームの遊端に枢動可能に連結された一端及び前記移動部材の左右方向の中央部に枢動可能に連結された他端を有する連結リンクとを含む請求項１から請求項４の何れか一項に記載のストロボ装置。
【請求項６】
前記磁石片の磁気の検知によって前記移動部材と前記レンズ保持体とが前記磁石片の磁力によって連結されているか否かを検出する連結状態検出装置と、
前記連結状態検出装置が否を検出した場合にはそのことを警告する警告装置とを有する請求項１から請求項５の何れか一項に記載のストロボ装置。
【請求項７】
前記磁石片の磁気の検知によって前記移動部材と前記レンズ保持体とが前記磁石片の磁力によって連結されているか否かを検出する連結状態検出装置と、
前記連結状態検出装置が否を検出した場合には前記移動部材を予め設定されたディフォルト位置に移動させるべく電動機の駆動を制御するディフォルト制御装置とを有する請求項１から請求項５の何れか一項に記載のストロボ装置。
【請求項８】
前記レンズはプラスチック製のフレネルレンズである請求項１から請求項７の何れか一項に記載のストロボ装置。
【発明の詳細な説明】
【技術分野】
【０００１】
本発明は、ストロボ装置に関し、更に詳細には、電動ズーム式のストロボ装置に関する。
【背景技術】
【０００２】
カメラ用のストロボ装置として、前部にフレネルレンズに固定配置された本体ハウジングと、本体ハウジング内に前後方向に移動可能に設けられ、キセノン放電管等による発光手段を保持したランプホルダと、本体ハウジングに設けられ、前記ランプホルダを前後方向に駆動するための電動機及び送りねじ機構を含むズーム用駆動装置と有し、前記ランプホルダの前後方向の移動によってフレネルレンズと発光手段との光軸方向（前後方向）の距離が変化することにより、被写体に対するストロボ光の照射角（ストロボ照射角）が変化する電動式のズーム機能を有するストロボ装置が知られている（例えば特許文献１、２）。
【先行技術文献】
【特許文献】
【０００３】
【特許文献１】特開２０１２−６３６６０号公報
【特許文献２】特開２０１３−１３４３２３号公報
【発明の概要】
【発明が解決しようとする課題】
【０００４】
本体ハウジングに内蔵されたランプホルダが本体ハウジング内を前後方向に移動（ズーミング移動）するストロボ装置（ランプホルダ移動型のストロボ装置）では、ランプホルダが外部に露呈していないので、ランプホルダに外力が作用することがないが、本体ハウジングは、ランプホルダの移動のためにズーミング移動長より大きい前後長が必要である。このため、ランプホルダ移動型のストロボ装置は、小型化を阻害され、収納時や持ち運び時も嵩張ったものになる。【０００５】
このことに対して、前面にフレネルレンズを取り付けられたレンズ保持体（レンズ側ハウジング）が発光部を有するストロボ本体（本体側ハウジング）に対して前後方向に移動可能に設けられたストロボ装置（レンズ移動型のストロボ装置）では、本体側ハウジングはズーミング移動長より大きい前後長をランプホルダ移動空間を必要としない。このレンズ移動型のストロボ装置は、本体側ハウジングに対してレンズ側ハウジングが後退した位置（ワイド位置）にある状態ではストロボ装置がランプホルダ移動型のストロボ装置に比して小型になり、収納時や持ち運び時に嵩張ったものにならない。【０００６】
レンズ移動型のストロボ装置では、レンズ保持体が外部に露呈しているので、レンズ保持体に外力が作用する虞がある。レンズ保持体のズーミング移動が手動によって行われるストロボ装置では、レンズ保持体に外力が作用しても、レンズ保持体が移動するだけで、ズーミング移動の案内部等に損傷を与えることはない。しかし、レンズ保持体のズーミング移動が電動機によって行われる電動式のものになると、レンズ保持体が駆動機構によって電動機にリジットに連結されているため、レンズ保持体に前後方向の外力が作用すると、その荷重が駆動機構や電動機を含むズーム用駆動装置に作用し、ズーム用駆動装置に損傷を与える虞が生じる。【０００７】
本発明が解決しようとする課題は、レンズ移動型の電動ズーム式のストロボ装置において、レンズ保持体に前後方向の外力が作用しても、ズーム用駆動装置に損傷が生じることを未然に防止することである。
【課題を解決するための手段】
【０００８】
本発明の一つの実施形態によるストロボ装置は、発光部（３６）を有するストロボ本体（２４）と、前記ストロボ本体（２４）に前後方向に移動可能に設けられ、前面にレンズ（６８）を有するレンズ保持体（２６）とを具備したストロボ装置（２０）であって、前記ストロボ本体（２４）に設けられた電動機（４８）及び電動機（４８）によって前後方向に駆動される移動部材（４４）を含むズーム用駆動装置（４７）と、前記移動部材（４４）及び前記レンズ保持体（２６）の少なくとも一方に取り付けられ、磁力によって前記移動部材（４４）と前記レンズ保持体（２６）とを連結する磁石片（６２、７８）とを有する。【０００９】
この構成によれば、レンズ保持体（２６）に前後方向の大きい外力が作用すると、磁石片の磁力による移動部材（４４）とレンズ保持体（２６）との連結が解除され、移動部材（４４）とレンズ保持体（２６）とが分離するので、ズーム用駆動装置（４７）に大きい外力に作用することがなく、ズーム用駆動装置（４７）に損傷が生じるが未然に回避される。【００１０】
上記ストロボ装置において、好ましくは、前記ストロボ本体（２４）は前記発光部（３６）及び前記ズーム用駆動装置（４７）を収容する本体側ハウジング（３０）を有し、前記レンズ保持体（２６）は前記本体側ハウジング（３０）の外周に前後方向に移動可能に係合して前記レンズ（６８）を支持したレンズ側ハウジング（６６）を有し、前記磁石片は前記移動部材（４４）に設けられて前記本体側ハウジング（３０）内に位置する移動部材側磁石片（６２）を含み、当該移動部材側磁石片（６２）は前記本体側ハウジング（３０）を隔てて前記レンズ側ハウジング（６６）に設けられた磁気吸着部（７８）に対向している。【００１１】
この構成によれば、移動部材側磁石片（６２）が本体側ハウジング（３０）外に露呈することがなく、意匠性がよくなる。【００１２】
上記ストロボ装置において、好ましくは、前記移動部材側磁石片（６２）は前記移動部材（４４）の外周面に設けられ、前記レンズ保持体（２６）は前記本体側ハウジング（３０）の外周に前後方向に移動可能に係合するレンズ側ハウジング（６６）を有し、前記磁気吸着部は前記移動部材側磁石片（６２）に対向する前記レンズ側ハウジング（６６）の内側面に設けられたレンズ側磁石片（７８）を含む。【００１３】
この構成によれば、磁石片同士の磁気吸着によって移動部材（４４）と前記レンズ保持体（２６）とが連結されるので、移動部材側磁石片（６２）及びレンズ側磁石片（７８）を大型化することなく、所要の磁気的吸着力が得られる。【００１４】
上記ストロボ装置において、好ましくは、前記ストロボ本体（２４）は前記本体側ハウジング（３０）内を各々前後方向に延在して前記移動部材（４４）の前後方向の移動を案内する左右２個のリニア案内部（４２）を有し、前記移動部材側磁石片（６２）は前記移動部材（４４）が前記各リニア案内部（４２）と係合する係合部（４６）の左右方向の位置に各々整合する左右二箇所に設けられている。【００１５】
この構成によれば、移動部材（４４）の前後方向の移動がスキュを生じることなく安定して行われ、その上で移動部材（４４）の前後方向の移動時に移動部材側磁石片（６２）が「ずれ動き」することが抑制される。【００１６】
上記ストロボ装置において、好ましくは、前記ズーム用駆動装置（４７）は、前記電動機の出力部に固定された基端（５４Ａ）を有する駆動アーム（５４）と、前記駆動アーム（５４）の遊端（５４Ｂ）に枢動可能に連結された一端（５６Ａ）及び前記移動部材（４４）の左右方向の中央部に枢動可能に連結された他端（５６Ｂ）を有する連結リンク（５６）とを含む。【００１７】
この構成によれば、送りねじ機構による場合よりも、構造が簡単になる。【００１８】
上記ストロボ装置において、好ましくは、前記磁石片（７８）の磁気の検知によって前記移動部材（４４）と前記レンズ保持体（２６）とが前記磁石片（７８）の磁力によって連結されているか否かを検出する連結状態検出装置（６４）と、前記連結状態検出装置（６４）が否を検出した場合にはそのことを警告する警告装置（１１２）とを有する。【００１９】
この構成によれば、本体側ハウジング（３０）に対するレンズ保持体（２６）の組み付けが不良であることを使用者に的確に知らせることができる。【００２０】
上記ストロボ装置において、好ましくは、前記磁石片（７８）の磁気の検知によって前記移動部材（４４）と前記レンズ保持体（２６）とが前記磁石片（７８）の磁力によって連結されているか否かを検出する連結状態検出装置（６４）と、前記連結状態検出装置（６４）が否を検出した場合には前記移動部材（４４）を予め設定されたディフォルト位置に移動させるべく前記電動機（４８）の駆動を制御するディフォルト制御装置（１０４）とを有する。【００２１】
この構成によれば、本体側ハウジング（３０）に対するレンズ保持体（２６）の組み付けが不良である場合には、移動部材（４４）が予め設定されたディフォルト位置に戻り、本体側ハウジング（３０）に対するレンズ保持体（２６）の再装着時の初期化が適切に行われ得るようになる。【００２２】
上記ストロボ装置において、好ましくは、前記レンズ（６８）はプラスチック製のフレネルレンズ（６８）である。【００２３】
この構成によれば、型成形のフレネルレンズにおいて、石英ガラス製のものよりシャープなレンズ形状を得やすく、優れたレンズ特性が得られる。
【発明の効果】
【００２４】
本発明によるストロボ装置によれば、レンズ移動型の電動ズーム式のストロボ装置において、レンズ保持体に前後方向の外力が作用しても、ズーム用駆動装置に損傷が生じることが未然に回避される。
【図面の簡単な説明】
【００２５】
【図１】本発明によるストロボ装置及びカメラの一つの実施形態を後側から見た斜視図
【図２】本実施形態のストロボ装置を前側から見た分解斜視図
【図３】本実施形態のストロボ装置の本体側ハウジングの一部を取り外して示す分解斜視図
【図４】本実施形態のストロボ装置の要部を透過して示す斜視図
【図５】本実施形態のストロボ装置の要部を断面にして示す側面図
【図６】本実施形態のストロボ装置のズーム制御系のブロック線図
【図７】本実施形態のストロボ装置のズーム制御系のフローチャート
【発明を実施するための形態】
【００２６】
以下に、本発明によるストロボ装置の一つの実施形態を、図１〜図７を参照して説明する。
【００２７】
図１に示されているように、カメラ１０の底部にねじ１２によってストロボ用ブラケット１４が取り付けられている。ストロボ用ブラケット１４の端部には固定具１６によってストロボ装置２０が取り付けられている。
【００２８】
ストロボ装置２０は、図１〜図３に示されているように、上下方向に長い電池ケース２２と、電池ケース２２の上部に設けられた取付部２３にチルト可能に設けられたストロボ本体２４と、ストロボ本体２４の前部に前後方向に移動可能に設けられたレンズ保持体２６とを有する。取付部２３には、青色ＬＥＤによる正常ランプ１１０及び赤色ＬＥＤによる異常ランプ１１２が設けられている。
【００２９】
ストロボ本体２４は、図１〜図５に示されているように、ロアハウジング３０Ａ及びアップハウジング３０Ｂの組立体によって構成された前側開口の略四角筒体による本体側ハウジング（アウタシェル）３０を有する。本体側ハウジング３０内には図５に示されているように、内部支持体３２が固定されている。内部支持体３２の前部には前部開口のランプハウジング３４が取り付けられている。ランプハウジング３４は上下２段に発光部をなすキセノン放電管３６及び反射鏡３８を支持している。ランプハウジング３４には前部開口を閉塞するように耐熱ガラス等による保護ガラス４０が取り付けられている。内部支持体３２には、コンデンサ、ブースタ回路やトリガ回路等を含むキセノン放電管３６の閃光のための不図示の電気機器が取り付けられている。
【００３０】
本体側ハウジング３０内に位置する内部支持体３２の上部には、図３に示されているように、前後方向に延在する左右２本のガイドバー（リニア案内部）４２が取り付けられている。２本のガイドバー４２には、当該２本ガイドバー４２を橋渡しするように左右方向に延在した矩形の移動部材４４が、ガイドバー４２の延在方向、つまり前後方向に摺動可能に係合している。詳細には、移動部材４４の左右の端部近傍に前後の貫通孔による係合孔４６が形成されており、各係合孔４６に左右対応する側のガイドバー４２が相対的に摺動可能に貫通していることにより、移動部材４４は２本のガイドバー４２に案内されて前後方向に平行移動する。これにより、移動部材の前後方向の移動がスキュを生じることなく安定して行われる。
【００３１】
内部支持体３２の後部にはズーム用モータ（電動機）４８及び減速機５０が取り付けられており、減速機５０の出力軸５２が上下方向に延在する軸線（垂直軸線）周りに回転するズーム用モータ４８の出力部をなしている。出力軸５２には駆動アーム５４の基端５４Ａが固定されている。駆動アーム５４の遊端５４Ｂには連結リンク５６の一端５６Ａが連結ねじ５８によって垂直軸線周りに枢動（回動）可能に連結されている。連結リンク５６の他端５６Ｂは、移動部材４４の左右方向の中央部に形成されたブラケット４４Ａに連結ねじ６０によって垂直軸線周りに枢動（回動）可能に連結されている。
【００３２】
このようにして、移動部材４４、ズーム用モータ４８、減速機５０、駆動アーム５４及び連結リンク５６を含む電動式のズーム用駆動装置４７が構成されている。駆動アーム５４及び連結リンク５６によるものは、送りねじ式のものより構造が簡単で、スペースを取らない利点がある。これによりストロボ装置２０の小型化が図られる。
【００３３】
移動部材４４の上面のうち、各係合孔４６の左右方向の位置に上下に整合する左右二箇所には矩形板状の移動部材側磁石片６２が固定されている。この配置によれば、移動部材４４の前後方向の移動時に移動部材側磁石片６２が「ずれ動き」することが抑制され、後述する移動部材側磁石片６２とレンズ側磁石片７８との磁気的結合が移動部材４４の前後方向の移動時を含めて安定する。
【００３４】
移動部材４４の上面の左右方向の中央部にはホール素子等による磁気センサ６４が取り付けられている。磁気センサ６４は、後述するレンズ保持体２６側のレンズ側磁石片７８の磁気に応動し、レンズ側磁石片７８の磁気を検出する。
【００３５】
レンズ保持体２６は、図１〜図５に示されているように、本体側ハウジング３０の外周に前後方向に移動可能に係合した両端開口の四角筒状のレンズ側ハウジング６６を有する。レンズ側ハウジング６６の前部には四角板状のフレネルレンズ６８が取り付けられている。フレネルレンズ６８は、アクリル樹脂等によるプラスチック製、つまり樹脂成形品であり、上下２段の各キセノン放電管３６に対応するように、上下２段に個別のレンズ部７０を有する。
【００３６】
フレネルレンズ６８の樹脂成形品化は、フレネルレンズ６８がランプハウジング３４でなく、筒状の開放構造のレンズ側ハウジング６６に取り付けられ、外気に曝される環境にあることにより、キセノン放電管３６の閃光に起因するフレネルレンズ６８の温度上昇が抑制され、温度環境が緩和される。
【００３７】
このことにより、フレネルレンズ６８の樹脂成形品化が可能になる。樹脂成形品によるフレネルレンズ６８は、石英ガラスの成形品によるものより、シャープなレンズ形状を得やすく、光学的な損失が少なくて光透過率が高い優れたレンズ特性が得られる。これにより、発光量を増加することなく大光量が得られる。
【００３８】
レンズ側ハウジング６６の底部には、図５に示されているように、板ばねによる係合部材７２が取り付けられている。係合部材７２は、レンズ側ハウジング６６の底部に形成された開口７４からレンズ側ハウジング６６の内側に突出した三角形状に上方に突出した部分を含んでおり、本体側ハウジング３０の底部に形成された前後方向に長い凹溝７６に係合している。この係合により、当該係合が外れるような大きい外力がレンズ側ハウジング６６に作用しない限りレンズ側ハウジング６６の前後方向の移動範囲が、係合部材７２が凹溝７６の前端７６Ａに当接する最前方位置と、係合部材７２が凹溝７６の後端７６Ｂに当接する最後方位置との間に制限される。
【００３９】
本実施形態では、レンズ保持体２６がストロボ本体２４に対して前後方向に移動可能に設けられているから、本体側ハウジング３０はズーミング移動長より大きい前後長を有するランプ移動室を必要としない。これにより、ストロボ本体２４に対してレンズ保持体２６が後退した位置（ワイド位置）にある状態では、ストロボ装置２０はランプホルダ移動型のストロボ装置に比して小型になり、収納時や持ち運び時に嵩張ったものにならない。
【００４０】
レンズ側ハウジング６６の上部の内側面には、左右二箇所に、矩形板状のレンズ側磁石片７８が固定されている。各レンズ側磁石片７８は左右対応する側の移動部材側磁石片６２と同一の左右方向位置に設けられ、図４に示されているように、レンズ側ハウジング６６が本体側ハウジング３０に対して所定の前後方向の位置に配置されることにより、本体側ハウジング３０を隔てて左右対応する側の移動部材側磁石片６２に平らな面同士で正対し、移動部材側磁石片６２と互いに磁気的に吸着し合う。本体側ハウジング３０に対するレンズ側ハウジング６６の所定の前後方向位置とは、所期のズーム特性が得られるべき本体側ハウジング３０に対するレンズ側ハウジング６６の設計上の正しい組み付け位置（正規位置）である。
【００４１】
移動部材側磁石片６２及びレンズ側磁石片７８のＳＮ磁極は、左右方向の端部にあって互いに左右方向に反転していても、前後方向の端部にあって互いに前後方向に反転していてもよく、互いに磁気的吸着による前後方向の位置決め作用が得られる。
【００４２】
これにより、レンズ側ハウジング６６がレンズ側ハウジング６６に対して正規位置に組み付けられ、レンズ保持体２６に所定値以上の前後方向の外力が作用しない通常の状態においては、レンズ側ハウジング６６が移動部材側磁石片６２とレンズ側磁石片７８との磁気的吸着による磁気的吸着強度をもって連結される。
【００４３】
この状態では、レンズ保持体２６が移動部材４４に前後方向の駆動関係で連結され、ズーム用モータ４８によって駆動アーム５４が回動され、駆動アーム５４と連結リンク５６との屈曲が直線状に近付くことにより、移動部材４４が前方へ移動する。これとは反対に、駆動アーム５４と連結リンク５６との屈曲が強まることにより、移動部材４４が後方へ移動する。そして、レンズ保持体２６は、前後方向に移動する移動部材４４と一体になって前後方向に移動、つまりズーミング移動する。
【００４４】
また、この状態では、磁気センサ６４の近くにレンズ側磁石片７８があることから、磁気センサ６４が所定値以上の磁気を検出する。
【００４５】
移動部材側磁石片６２とレンズ側磁石片７８との磁気的結合によって移動部材４４とレンズ保持体２６とが連結されるから、移動部材側磁石片６２及びレンズ側磁石片７８の片方が鉄板等の強磁性体によって構成されている場合より、移動部材側磁石片６２及びレンズ側磁石片７８を大型化することなく、大きい磁気的吸着力が得られる。これによりストロボ装置２０の小型化が図られる。
【００４６】
レンズ保持体２６が、後側に押されたり、前側に強く引かれたりすることにより、レンズ保持体２６に所定値以上の前後方向の外力が作用すると、つまり、移動部材側磁石片６２とレンズ側磁石片７８との磁気的吸着強度を超える外力がレンズ保持体２６に作用すると、移動部材側磁石片６２とレンズ側磁石片７８との磁気的吸着が解除され、レンズ保持体２６が、移動部材４４から切り離され、ストロボ本体２４に対して前後方向に自由に移動できるようなる。
【００４７】
これにより、レンズ保持体２６に大きい外力が作用しても、連結リンク５６、駆動アーム５４、減速機５０やズーム用モータ４８に大きい荷重がかかることが回避され、これらが損傷することが未然に防止される。
【００４８】
また、この状態では、レンズ側磁石片７８が磁気センサ６４から離れるから、磁気センサ６４が所定値以上の磁気を検出しなくなる。
【００４９】
次に、発光部の冷却について説明する。
【００５０】
ランプハウジング３４の後方には、図５に示されているように、電動式の冷却ファン装置８０が設けられている。本体側ハウジング３０の左右両側部には、図１〜図４に示されているように、外気吸入孔８２が形成されている。内部支持体３２の前側の上部には、図３に示されているように、排気孔８３が形成されている。
【００５１】
冷却ファン装置８０は、外気吸入孔８２から外気を本体側ハウジング３０内に吸入し、ランプハウジング３４に向けて送風する。これにより、ランプハウジング３４、キセノン放電管３６、反射鏡３８の強制空冷が行われる。ランプハウジング３４に向けて送風された外気は排気孔８３から本体側ハウジング３０外へ流れ、本体側ハウジング３０とレンズ側ハウジング６６との隙間から外部に排出される。
【００５２】
次に、ズーム制御系を、図５及び図６を参照して説明する。
【００５３】
ストロボ装置２０はマイクロコンピュータ等を含む制御装置１００を有する。制御装置１００はディフォルト制御部１０４及びズーム制御部１０６を含む。ズーム制御部１０６は、外部からズーム指令信号を入力し、ズーム指令信号に基づいてズーム用モータ４８の駆動を制御する。ディフォルト制御部１０４は、外部からのズーム指令信号に凌駕して、移動部材４４を予め設定されているディフォルト位置に戻すべくズーム用モータ４８の駆動を制御する。ディフォルト位置は移動部材４４によってレンズ側ハウジング６６が最も後退した最大ワイド照射位置に移動する位置するであってよい。
【００５４】
制御装置１００は連結状態検出部１０２を含む。連結状態検出部１０２は、磁気センサ６４より信号を入力し、磁気センサ６４が所定値以上の磁気を検出している時には、移動部材４４とレンズ保持体２６とが移動部材側磁石片６２及びレンズ側磁石片７８の磁力によって正しく連結されていると「正」の判定を行い、そうでない場合には「否」の判定を行う。
【００５５】
制御装置１００は、連結状態検出部１０２が「正」の判定を行った場合には、正常ランプ１１０を点灯させる制御を行い、連結状態検出部１０２が「否」の判定を行った場合には、異常ランプ１１２を点灯させる制御を行うと共に、ディフォルト制御部１０４に動作指令を出力する。
【００５６】
これにより、移動部材４４とレンズ保持体２６とが移動部材側磁石片６２及びレンズ側磁石片７８の磁力によって正しく連結されている場合には、正常ランプ１１０を点灯し、そうでない場合には異常ランプ１１２が点灯する。これにより使用者は、移動部材４４とレンズ保持体２６とが移動部材側磁石片６２及びレンズ側磁石片７８の磁力によって正しく連結されているか否かを的確に知ることができ、誤ったストロボ撮影が未然に防止される。
【００５７】
また、移動部材４４とレンズ保持体２６とが移動部材側磁石片６２及びレンズ側磁石片７８の磁力によって正しく連結されていない場合には、移動部材４４が予め設定されたディフォルト位置に戻る。これにより、本体側ハウジング３０に対するレンズ保持体２６の再装着時の初期化が適切に行われ得るようになる。また、本体側ハウジング３０に対するレンズ保持体２６の再装着の操作が容易になる。特に、ディフォルト位置が最大ワイド照射位置である場合は、レンズ保持体２６の再装着を突き当て式に行うことができ、レンズ保持体２６の再装着の操作が容易になる。
【００５８】
磁気センサ６４に関する制御フローを、図７を参照して説明する。
【００５９】
この制御フローは、制御装置１００によって所定時間ごとに繰り返し実行されるものであってよく、先ず、磁気センサ６４がオンであるか否かの判別を行う（ＳＴ１）。磁気センサ６４がオンである場合は、移動部材４４とレンズ保持体２６とが移動部材側磁石片６２及びレンズ側磁石片７８の磁力によって正しく連結されている。この場合には、正常ランプ１１０をオン（点灯）し、異常ランプ１１２をオフ（消灯）し（ＳＴ２）、一回の制御フローを終了する。
【００６０】
磁気センサ６４がオフである場合は、移動部材４４とレンズ保持体２６とが移動部材側磁石片６２及びレンズ側磁石片７８の磁力によって正しく連結されていない。この場合には、異常ランプ１１２をオン（点灯）し、正常ランプ１１０をオフ（消灯）し（ＳＴ３）、移動部材４４を予め設定されているディフォルト位置に戻すディフォルト制御を実行する（ＳＴ４）。そして、シャッタ禁止信号を出力し（ＳＴ５）、一回の制御フローを終了する。
【００６１】
以上、本発明を、その好適な実施形態について説明したが、当業者であれば容易に理解できるように、本発明はこのような実施形態により限定されるものではなく、本発明の趣旨を逸脱しない範囲で適宜変更可能である。例えば、移動部材側磁石片６２は移動部材４４の左右の外側面等に、レンズ側磁石片７８はレンズ側ハウジング６６の左右の内側面等に各々取り付けられていてもよい。本実施形態では、互いに磁気的に吸着し合う移動部材側磁石片６２及びレンズ側磁石片７８が用いられているが、移動部材側磁石片６２及びレンズ側磁石片７８の何れか一方が鉄板等の強磁性体によって構成されていてもよい。ズーム駆動は、レバー式に限られることはなく、送りねじ式であってもよい。また、上記実施形態に示した構成要素は必ずしも全てが必須なものではなく、本発明の趣旨を逸脱しない限りにおいて適宜取捨選択することが可能である。
【符号の説明】
【００６２】
１０    ：カメラ
１２    ：ねじ
１４    ：ストロボ用ブラケット
１６    ：固定具
２０    ：ストロボ装置
２２    ：電池ケース
２３    ：取付部
２４    ：ストロボ本体
２６    ：レンズ保持体
３０    ：本体側ハウジング
３０Ａ  ：ロアハウジング
３０Ｂ  ：アップハウジング
３２    ：内部支持体
３４    ：ランプハウジング
３６    ：キセノン放電管
３８    ：反射鏡
４０    ：保護ガラス
４２    ：ガイドバー
４４    ：移動部材
４４Ａ  ：ブラケット
４６    ：係合孔
４７    ：ズーム用駆動装置
４８    ：ズーム用モータ（電動機）
５０    ：減速機
５２    ：出力軸
５４    ：駆動アーム
５４Ａ  ：基端
５４Ｂ  ：遊端
５６    ：連結リンク
５６Ａ  ：一端
５６Ｂ  ：他端
５８    ：連結ねじ
６０    ：連結ねじ
６２    ：移動部材側磁石片
６４    ：磁気センサ（連結状態検出装置）
６６    ：レンズ側ハウジング
６８    ：フレネルレンズ
７０    ：レンズ部
７２    ：係合部材
７４    ：開口
７６    ：凹溝
７６Ａ  ：前端
７６Ｂ  ：後端
７８    ：レンズ側磁石片
８０    ：冷却ファン装置
８２    ：外気吸入孔
８３    ：排気孔
１００  ：制御装置
１０２  ：連結状態検出部
１０４  ：ディフォルト制御部
１０６  ：ズーム制御部
１１０  ：正常ランプ
１１２  ：異常ランプ
【要約】
【課題】レンズ移動型の電動ズーム式のストロボ装置において、レンズ保持体に前後方向の外力が作用しても、ズーム用駆動装置に損傷が生じることを未然に防止すること。
【解決手段】発光部３６を有するストロボ本体２４に、前面にレンズ６８を有するレンズ保持体２６が前後方向に移動可能に設けられ、ストロボ本体２４に電動機４８によって前後方向に駆動される移動部材４４を含むズーム用駆動装置４７が設けられ、移動部材４４及びレンズ保持体２６に取り付けられた磁石片６２、７８の磁力によって移動部材４４とレンズ保持体２６とが連結されている。
【選択図】図４【図１】
0006303078.tif 000002
【図２】
0006303078.tif 000003
【図３】
0006303078.tif 000004
【図４】
0006303078.tif 000005
【図５】
0006303078.tif 000006
【図６】
0006303078.tif 000007
【図７】
0006303078.tif 000008